(57)【要約】【課題】  受話時の外音の遮音性や受話音の音質の向上させるとともに、表示部に関するスペース効率を向上させ、しかも、受話時の外音の遮音性及び受話音の音質を向上させるための構造の配置及びサイズと表示部との配置及びサイズとの間の関係の融通性を高める。【解決手段】  携帯電話機１は、筐体２内に設けられた液晶表示器３及び受話スピーカ４と、筐体２に設けられた透明樹脂からなる遮音空間形成部材８とを備える。遮音空間形成部材８は液晶表示器３の表示領域と重なっている。遮音空間形成部材８は、受話時に使用者の耳孔に連通する遮音空間を形成する凹部８ａを有する。遮音空間形成部材８における凹部８ａの周囲の部分８ｂが、受話時に使用者の耳孔周辺部に当接する当接部となる。遮音空間形成部材８は、凹部８ａにおいて開口し受話スピーカ４からの音を前記遮音空間に導く開口部８ｃを有する。【選択図】  図１
2005269066.tif 000002
【特許請求の範囲】
【請求項１】
表示部を備え受話機能を有する装置であって、
当該装置の筐体に設けられた遮音空間形成部材を更に備え、
前記遮音空間形成部材は、受話時に使用者の耳孔に連通する遮音空間を形成する凹部を有し、
前記遮音空間形成部材における前記凹部の周囲の部分が、受話時に使用者の耳孔周辺部に当接する当接部となり、
前記遮音空間形成部材は、前記凹部において開口し受話用の電気音響変換手段からの音を前記遮音空間に導く開口部を有し、
前記遮音空間形成部材が、前記表示部の表示領域の少なくとも一部と重なり、
前記表示部の表示の少なくとも一部が前記遮音空間形成部材を介して視認されるように、前記遮音空間形成部材における少なくとも前記表示部の表示領域との重なり部分が透明となるように構成された、
ことを特徴とする受話機能を有する装置。
【請求項２】
前記遮音空間形成部材は、前記表示部の表示領域の全体と重なり、
前記遮音空間形成部材が前記表示部の前面カバーとして兼用されたことを特徴とする請求項１記載の受話機能を有する装置。
【請求項３】
前記凹部の面が略球面状の３次元曲面をなすことを特徴とする請求項１又は２記載の受話機能を有する装置。
【請求項４】
前記遮音空間形成部材がポリカーボネート又はその他の透明樹脂で構成されたことを特徴とする請求項１乃至３のいずれかに記載の受話機能を有する装置。
【請求項５】
前記凹部の周縁の形状が略円形状又は略楕円形状であり、前記凹部の周縁の直径又は短軸の径が３５ｍｍから５５ｍｍの範囲であることを特徴とする請求項１乃至４のいずれかに記載の受話機能を有する装置。
【請求項６】
前記凹部における中心領域付近の深さが３ｍｍ以上であることを特徴とする請求項１乃至５のいずれかに記載の受話機能を有する装置。
【請求項７】
前記遮音空間形成部材の裏面における所定領域に、遮光用のマスク手段が設けられたことを特徴とする請求項１乃至６のいずれかに記載の受話機能を有する装置。
【請求項８】
前記表示部の表示領域の視認される形状が所定形状となるように、前記遮音空間形成部材による屈折効果に応じて、前記表示部の表示領域の実際の形状を前記所定形状に対して予め歪ませたことを特徴とする請求項１乃至６のいずれかに記載の受話機能を有する装置。
【請求項９】
前記表示部の表示領域の視認される形状が所定形状となるように、前記遮音空間形成部材による屈折効果に応じて、前記表示部の表示領域の実際の形状又は前記マスク手段による非遮光領域の形状を前記所定形状に対して予め歪ませたことを特徴とする請求項７記載の受話機能を有する装置。
【請求項１０】
当該装置が携帯電話機であることを特徴とする請求項１乃至９のいずれかに記載の受話機能を有する装置。
【発明の詳細な説明】
【技術分野】
【０００１】
本発明は、携帯電話機やコードレス電話機の子機やトランシーバなどの、受話機能を有する装置に関するものである。
【背景技術】
【０００２】
従来から、電話機本体の一方側の面部に、受話孔及び表示部を囲むリング状の遮音部材が組み合わされることによって、当てがわれた耳介の周囲を覆って外部音を遮音する遮音空間部が構成される携帯電話機が、提案されている（下記特許文献１）。
【０００３】
この従来の携帯電話機によれば、リング状の遮音部材は、使用者の耳に当てがわれると、耳介の周囲を覆って外部音を遮音する遮音空間部を構成するため、屋外等の外部音が大きな場所でも受話音を明瞭に聴取することが可能となる。また、受話時に遮音空間部は密閉空間に近づくので、受話音の音質の向上を図ることができる。さらに、この従来の携帯電話機によれば、リング状の遮音部材が表示部も囲んでいるので、表示部が遮音空間内に配設されることによって、限られた筐体により大きな表示部を有する表示器の搭載が可能となり、使い勝手の向上とともにスペース効率の向上を図ることができる。
【特許文献１】特開平８−１４９１８９号公報
【発明の開示】
【発明が解決しようとする課題】
【０００４】
しかしながら、前記従来の携帯電話機では、リング状の遮音部材は表示部の表示を妨げないために表示部を囲むように配置しなければならないという制約があり、リング状の遮音部材の配置及びサイズと表示部の配置及びサイズとの間の関係の融通性が低かった。このため、受話音の音質の向上と表示の視認性の向上とを十分に両立させることは困難であった。すなわち、受話音の音質を最適化するように遮音部材の配置及びサイズを定めた場合、当該遮音部材に囲まれた領域に表示部を配置しようとすると、表示部の面積を必ずしも十分に確保することができなかったり表示部を必ずしも見やすい位置に配置することができなくなったりして、表示の視認性が低下してしまう。一方、表示の視認性の最適化を図った上で、当該表示部を囲むようにリング状の遮音部材を配置すると、受話音の音質を最適化することは困難である。
【０００５】
本発明は、このような事情に鑑みてなされたもので、受話時の外音の遮音性や受話音の音質の向上させることができるとともに、表示部に関するスペース効率を向上させることができ、しかも、受話時の外音の遮音性及び受話音の音質を向上させるための構造の配置及びサイズと表示部との配置及びサイズとの間の関係の融通性を高めることができる、受話機能を有する装置を提供することを目的とする。
【課題を解決するための手段】
【０００６】
前記課題を解決するため、本発明の第１の態様による受話機能を有する装置は、表示部を備え受話機能を有する装置であって、当該装置の筐体に設けられた遮音空間形成部材を更に備え、前記遮音空間形成部材は、受話時に使用者の耳孔に連通する遮音空間を形成する凹部を有し、前記遮音空間形成部材における前記凹部の周囲の部分が、受話時に使用者の耳孔周辺部に当接する当接部となり、前記遮音空間形成部材は、前記凹部において開口し受話用の電気音響変換手段からの音を前記遮音空間に導く開口部を有し、前記遮音空間形成部材が、前記表示部の表示領域の少なくとも一部と重なり、前記表示部の表示の少なくとも一部が前記遮音空間形成部材を介して視認されるように、前記遮音空間形成部材における少なくとも前記表示部の表示領域との重なり部分が透明となるように構成されたものである。
【０００７】
この第１の態様によれば、受話時に遮音空間形成部材の凹部の周囲の部分が使用者の耳孔周辺部に当接されると、遮音空間形成部材の凹部が使用者の耳孔に連通する遮音空間となり、この遮音空間は外部に対して密閉された状態に近づく。したがって、受話時に外音が遮音されて屋外等の外部音が大きな場所でも受話音を明瞭に聴取することができるとともに、受話音の音質の向上を図ることができる。
【０００８】
また、前記第１の態様によれば、遮音空間形成部材が表示部の表示領域の少なくとも一部と重なり、遮音空間形成部材の少なくとも表示部の表示領域との重なり部分が透明となるように構成され、表示部の表示の少なくとも一部が遮音空間形成部材を介して視認されるので、限られた筐体により大きな表示部を配置することができ、スペース効率の向上を図ることができる。
【０００９】
さらに、前記第１の態様によれば、遮音空間形成部材の少なくとも表示部の表示領域との重なり部分が透明となるように構成されているので、遮音空間形成部材が表示部の表示を妨げるようなことがなくなり、遮音空間形成部材の凹部の周囲の部分（使用者の耳孔周辺部に当接する当接部、すなわち、受話時の外音の遮音性及び受話音の音質を向上させるための構造）の配置及びサイズと表示部の配置及びサイズとの間に制約が少なくなり、両者の間の関係の融通性を高めることができる。したがって、前記第１の態様によれば、受話音の音質の向上と表示の視認性の向上とをより高いレベルで両立させることができる。
【００１０】
本発明の第２の態様による受話機能を有する装置は、前記第１の態様において、前記遮音空間形成部材は前記表示部の表示領域の全体と重なり、前記遮音空間形成部材が前記表示部の前面カバーとして兼用されたものである。
【００１１】
この第２の態様によれば、遮音空間形成部材が表示部の前面カバーとして兼用されているので、構造が簡単となるとともに部品点数が少なくなり、価格を低減することができる。
【００１２】
本発明の第３の態様による受話機能を有する装置は、前記第１又は第２の態様において、前記凹部の面が略球面状の３次元曲面をなすものである。
【００１３】
この第３の態様によれば、遮音空間形成部材の凹部の面が略球面状の３次元曲面をなすので、この曲面を音響的にも光学的にも同時に利用して良好な受話音の音質と良好な表示の視認性との両立を図ることができる。
【００１４】
本発明の第４の態様による受話機能を有する装置は、前記第１乃至第３のいずれかの態様において、前記遮音空間形成部材がポリカーボネート又はその他の透明樹脂で構成されたものである。
【００１５】
この第４の態様は、遮音空間形成部材の材料の例を挙げたものであるが、前記第１乃至第３の態様ではこの例に限定されるものではない。
【００１６】
本発明の第５の態様による受話機能を有する装置は、前記第１乃至第４のいずれかの態様において、前記凹部の周縁の形状が略円形状又は略楕円形状であり、前記凹部の周縁の直径又は短軸の径が３５ｍｍから５５ｍｍの範囲であるものである。
【００１７】
この第５の態様のように、凹部の周縁の直径又は短軸の径を３５ｍｍから５５ｍｍの範囲にすると、受話音の音質の向上と耳当たり感との両立を図るために、好ましい。凹部の周縁の直径又は短軸の径を４０ｍｍから５０ｍｍの範囲にするとより好ましく、略４５ｍｍにするとより一層好ましい。
【００１８】
本発明の第６の態様による受話機能を有する装置は、前記第１乃至第５のいずれかの態様において、前記凹部における中心領域付近の深さが３ｍｍ以上であるものである。
【００１９】
この第６の態様のように、前記凹部における中心領域付近の深さが３ｍｍ以上であれば、受話時に使用者の耳介の突起部に対する押圧力が過大にならずにすみ耳当て感が向上するため、好ましい。
【００２０】
本発明の第７の態様による受話機能を有する装置は、前記第１乃至第６のいずれかの態様において、前記遮音空間形成部材の裏面における所定領域に、遮光用のマスク手段が設けられたものである。このマスク手段としては、例えば、塗装や薄板やフィルム等を用いることができる。
【００２１】
この第７の態様のように、マスク手段を用いれば、例えば、遮音空間形成部材の全体を同一の透明材料で構成し、筐体に比較的大きな開口を形成し、この開口を遮音空間形成部材で塞ぐように遮音空間形成部材を筐体に設けることができる。もっとも、前記第１乃至第６の態様では、筐体自体をマスク手段の代わりに用いるように構成することも可能である。
【００２２】
本発明の第８の態様による受話機能を有する装置は、前記第１乃至第６のいずれかの態様において、前記表示部の表示領域の視認される形状が所定形状となるように、前記遮音空間形成部材による屈折効果に応じて、前記表示部の表示領域の実際の形状を前記所定形状に対して予め歪ませたものである。
【００２３】
本発明の第９の態様による受話機能を有する装置は、前記第７の態様において、前記表示部の表示領域の視認される形状が所定形状となるように、前記遮音空間形成部材による屈折効果に応じて、前記表示部の表示領域の実際の形状又は前記マスク手段による非遮光領域の形状を前記所定形状に対して予め歪ませたものである。
【００２４】
前記第１乃至第７の態様では、表示部の表示領域の実際の形状やマスク手段による非遮光領域の形状（表示窓の形状）が矩形形状等の所定形状であっても、遮音空間形成部材による屈折効果によって、表示部の表示領域の視認される形状が前記所定形状にならずに歪んでしまい、表示部の見栄えが良くない場合がある。前記第８及び第９の態様では、表示部の表示領域の実際の形状又は前記マスク手段による非遮光領域の形状を予め歪ませておくことで、表示部の表示領域の視認される形状の歪みを補正することができ、表示部の見栄えを良くすることができる。
【００２５】
本発明の第１０の態様による受話機能を有する装置は、前記第１乃至第９のいずれかの態様において、当該装置が携帯電話機であるものである。
【００２６】
この第１０の態様は、前記第１乃至９の態様を携帯電話機に適用した例であるが、前記第１乃至第９の態様は、携帯電話機に限定されるものではなく、例えば、コードレス電話機の子機やトランシーバなどの、受話機能を有する種々の装置（携帯装置を含む）に適用することができる。
【発明の効果】
【００２７】
本発明によれば、受話時の外音の遮音性や受話音の音質の向上させることができるとともに、表示部に関するスペース効率を向上させることができ、しかも、受話時の外音の遮音性及び受話音の音質を向上させるための構造の配置及びサイズと表示部との配置及びサイズとの間の関係の融通性を高めることができる、受話機能を有する装置を提供することができる。
【発明を実施するための最良の形態】
【００２８】
以下、本発明による受話機能を有する装置について、図面を参照して説明する。
【００２９】
［第１の実施の形態］
【００３０】
図１は本発明の第１の実施の形態による受話機能を有する装置としての携帯電話機１の要部を示す図であり、図１（ａ）は筐体２の一部を切り欠いた概略側面図、図１（ｂ）は概略正面図である。図２は図１中の遮音空間形成部材８を示す図であり、図２（ａ）は正面図、図２（ｂ）は図２（ａ）中のＡ−Ａ’矢視図、図２（ｃ）は背面図、図２（ｄ）は遮音空間形成部材８の裏面（背面）における遮光性塗料による塗装領域Ｒ２を示す図である。
【００３１】
本実施の形態による携帯電話機１は、図１に示すように、受話時及び送話時の相手先の電話番号の表示３ａや電波状態の表示３ｂ等を表示する表示部としての液晶表示器３、及び、受話用の電気音響変換手段としての受話スピーカ４などを、筐体２内に備えている。また、本実施の形態による携帯電話機は、筐体２に設けられた各種の操作ボタン５、アンテナ６、及び送話部７を備えている。
【００３２】
そして、本実施の形態による携帯電話機１は、図１に示すように、筐体２に設けられた遮音空間形成部材８を備えている。
【００３３】
本実施の形態では、遮音空間形成部材８は、ポリカーボネート又はその他の透明樹脂で構成され、図２に示すように、平面視で概略矩形形状を有し、厚板を抉って後述する凹部８ａを設けたような形態に構成されている。筐体２の前面側には、受話スピーカ４及び液晶表示器３が配置されている領域を含む比較的大きな矩形状の領域において、開口２ａが形成されている。遮音空間形成部材８は、筐体２の開口２ａを塞ぐように、筐体２に接着剤等により接合することで、筐体２に設けられている。このように、遮音空間形成部材８は、液晶表示器３の表示領域の全体と重なっており、液晶表示器３の前面カバーとして兼用されている。
【００３４】
図２に示すように、遮音空間形成部材８の表面側には、受話時に使用者の耳孔に連通する遮音空間を形成する凹部８ａが形成されている。遮音空間形成部材８における凹部８ａの周囲の部分８ｂが、受話時に使用者の耳孔周辺部に当接する当接部となる。本実施の形態では、凹部８ａの面は略球面状の３次元曲面を形成している。本実施の形態では、凹部８ａの周縁の形状は、円形に近い楕円形状となっている。本発明では、凹部８ａの周縁の形状は、略円形状でもよいし、略楕円形状でもよいし、長穴形状でもよいし、その他の形状（例えば、矩形形状）でもよい。受話音の音質の向上と耳当たり感との両立を図るために、凹部８ａ周縁の直径又は短軸の径は、３５ｍｍから５５ｍｍの範囲であることが好ましく、４０ｍｍから５０ｍｍの範囲であることがより好ましく、略４５ｍｍであることがより一層好ましい。また、受話時に使用者の耳介の突起部に対して過大な押圧力が加わらないようにするため、凹部８ａにおける中心領域付近の深さは３ｍｍ以上であることが好ましい。
【００３５】
遮音空間形成部材８には、凹部８ａにおいて開口し受話スピーカ４からの音を前記遮音空間に導く開口部８ｃが形成されている。本実施の形態では、この開口部８ｃは、受話スピーカ４に対向する位置に、スリット状に３個形成されている。もっとも、開口部８ｃの数や形状は何ら限定されるものではない。
【００３６】
本実施の形態では、遮音空間形成部材８の裏面において、液晶表示器３の表示窓となる領域Ｒ１以外の領域（図２（ｄ）中のハッチングを付した領域）Ｒ２には、遮光用のマスク手段としての遮光性塗料（図示せず）が塗布されている。前記マスク手段として、遮光性塗料を塗布する代わりに、例えば、遮光性の板やフィルムを貼着してもよい。必要に応じて、液晶表示器３の表示領域の視認される形状が矩形形状となるように、遮音空間形成部材８による屈折効果に応じて、液晶表示器３の表示領域の実際の形状又は前記遮光性塗料による非遮光領域Ｒ１の形状を矩形形状に対して予め歪ませておいてもよい。
【００３７】
本実施の形態によれば、受話時に遮音空間形成部材８の凹部８ａの周囲の部分８ｂが使用者の耳孔周辺部に当接されると、遮音空間形成部材８の凹部８ａが使用者の耳孔に連通する遮音空間となり、この遮音空間は外部に対して密閉された状態に近づく。したがって、受話時に外音が遮音されて屋外等の外部音が大きな場所でも受話音を明瞭に聴取することができるとともに、受話音の音質の向上を図ることができる。
【００３８】
また、本実施の形態によれば、遮音空間形成部材８が液晶表示器３と重なり、遮音空間形成部材８が透明となるように構成され、液晶表示器３の表示が遮音空間形成部材８を介して視認されるので、限られた筐体２により大きな表示部を配置することができ、スペース効率の向上を図ることができる。
【００３９】
さらに、本実施の形態によれば、遮音空間形成部材８の液晶表示器３の表示領域との重なり部分が透明となるように構成されているので、遮音空間形成部材８が液晶表示器３の表示を妨げるようなことがなくなり、遮音空間形成部材８の凹部の周囲の部分８ｂの配置及びサイズと液晶表示器３の表示領域の配置及びサイズとの間に制約が少なくなり、両者の間の関係の融通性を高めることができる。したがって、本実施の形態によれば、受話音の音質の向上と表示の視認性の向上とをより高いレベルで両立させることができる。
【００４０】
さらにまた、本実施の形態によれば、遮音空間形成部材８が液晶表示器３の表示領域の全体と重なり、遮音空間形成部材８が液晶表示器３の前面カバーとして兼用されているので、構造が簡単となるとともに部品点数が少なくなり、価格を低減することができる。もっとも、本発明では、デザインによっては、遮音空間形成部材８が液晶表示器３の一部と重なるように構成し、液晶表示器３の表示の一部が遮音空間形成部材８を介することなく視認されるように、構成してもよい。
【００４１】
また、本実施の形態によれば、遮音空間形成部材８の凹部８ａの面が略球面状の３次元曲面をなしているので、この曲面を音響的にも光学的にも同時に利用して良好な受話音の音質と良好な表示の視認性との両立を図ることができる。もっとも、本発明では、凹部８ａの面の形状は、この形状に限定されるものではなく、例えば、平面からなる底面を有する円筒面としてもよい。
【００４２】
本実施の形態では、遮音空間形成部材８の裏面の領域Ｒ２には、前述したようにマスク手段としての遮光性塗料が塗布されているが、遮光性塗料等のマスク手段を設けずに、図３に示すように、筐体２自体をマスク手段の代わりに用いるように構成することもできる。図３は、本実施の形態による携帯電話機１の変形例を示す、筐体２の一部を切り欠いた概略側面図であり、図１（ａ）に対応している。図３に示す例では、筐体２の前面側には、図１中の比較的大きい開口２ａに代えて、液晶表示器３ａの表示窓に相当する領域に形成された開口２ｂ、及び、受話スピーカ４と対向する位置において遮音空間形成部材８の開口部８ｃと連通する開口部２ｃが、形成されている。
【００４３】
［第２の実施の形態］
【００４４】
図４は本発明の第２の実施の形態による携帯電話機１１を示す図であり、図４（ａ）は筐体２の一部を切り欠いた概略側面図、図４（ｂ）は概略正面図である。図５は図４中の遮音空間形成部材８を示す図であり、図５（ａ）は正面図、図５（ｂ）は図５（ａ）中のＢ−Ｂ’矢視図、図５（ｃ）は背面図、図５（ｄ）は遮音空間形成部材８の裏面（背面）における遮光性塗料による塗装領域Ｒ２を示す図である。図４及び図５において、図１及び図３中の要素と同一又は対応する要素には同一符号を付し、その重複する説明は省略する。
【００４５】
本実施の形態による携帯電話機１１が前記第１の実施の形態による携帯電話機１と異なる所は、液晶表示器３が遮音空間形成部材８の中央付近に配置され、受話スピーカ４として比較的口径の大きいスピーカが用いられて液晶表示器３の背部に配置され、受話スピーカ４からの音を遮音空間に導く開口部８ｃが１個ずつ液晶表示器３の両側に配置されている点のみである。
【００４６】
本実施の形態によっても、前記第１の実施の形態と同様の利点が得られる。
【００４７】
以上、本発明の各実施の形態及び変形例について説明したが、本発明はこれらに限定されるものではない。
【００４８】
例えば、前述した各実施の形態は本発明を携帯電話機に適用した例であったが、本発明は携帯電話機以外の受話機能を有する装置（例えば、コードレス電話機の子機やトランシーバなど）にも適用することができる。
【図面の簡単な説明】
【００４９】
【図１】本発明の第１の実施の形態による携帯電話機を示す図である。
【図２】図１中の遮音空間形成部材を示す図である。
【図３】図１に示す携帯電話機の変形例の要部を示す一部切欠き概略側面図である。
【図４】本発明の第２の実施の形態による携帯電話機を示す図である。
【図５】図４中の遮音空間形成部材を示す図である。
【符号の説明】
【００５０】
１，１１  携帯電話機
２  筐体
２ａ  開口
３  液晶表示器
４  受話スピーカ
８  遮音空間形成部材
８ａ  凹部
８ｂ  凹部の周囲の部分（当接部）
８ｃ  開口部
【図１】
2005269066.tif 000003
【図２】
2005269066.tif 000004
【図３】
2005269066.tif 000005
【図４】
2005269066.tif 000006
【図５】
2005269066.tif 000007